(57)【特許請求の範囲】
【請求項１】
外箱と内箱と前記外箱と前記内箱との間に設けた断熱材とからなる断熱箱体と、前記断熱箱体庫内の最下部に配置される野菜室とを備え、前記断熱箱体は、前記野菜室内の底面部が手前側の第一底部と、奥側の第二底部とからなり、前記第一底部は前記第二底部より低く下がって段差部を形成し、前記段差部の後方で前記第二底部の下方に位置する庫外に段差スペースを設けるとともに、前記段差スペースに冷蔵庫の庫外で用いられる機能部品である冷却サイクルにより発生する凝縮水を貯留、蒸発させる蒸発皿を配置するとともに、前記段差スペースの後方にさらにスペースを設けて、前記スペースに、前記蒸発皿に風を強制的に対流させ前記蒸発皿上の凝縮水の蒸発を促進させるファンを配置し、前記蒸発皿は前記ファンを配置した前記スペースまで延設されるとともに、前記野菜室内で下部に第一の収納容器と上奥部に第二の収納容器とを備え、前記第一の収納容器の手前側に形成された上下方向に長い第一の収納空間と、前記第二の収納容器で区画された第二の収納空間と、前記第二の収納容器の下方で前記第一の収納容器で区画された第三の収納空間とを備え、前記第一の収納空間の底部は前記第三の収納空間の底部よりも低い位置にあり、前記第一底部の上方に相対する冷蔵庫。
【請求項２】
前記第一の収納容器は、前記第一の収納空間と前記第三の収納空間との間に仕切部を備え、前記仕切部は、前記第一の収納容器と一体で成型された請求項１に記載の冷蔵庫。
【請求項３】
前記蒸発皿は、凹陥状の取手を底面に一体に備えた請求項１または２に記載の冷蔵庫。
【請求項４】
前記蒸発皿は、近傍に前記蒸発皿に送風可能な送風手段を備え、前記送風手段を取り付ける取付部を一体に備える請求項１から３のいずれか一項に記載の冷蔵庫。
【請求項５】
前記蒸発皿は、周縁に一体に立設される壁部と、上面に一体に突設され前記壁部よりも高さの低く、凝縮水を貯留する主たる領域を確定するリブとを備える請求項１から４のいずれか一項に記載の冷蔵庫。
【請求項６】
前記蒸発皿は、内部に加熱手段を備え、底面を水平面に対し傾斜させており、前記加熱手段を、前記蒸発皿の最低部近傍に配置される請求項１から５のいずれか一項に記載の冷蔵庫。
【請求項７】
圧縮機を収納する機械室は、前記野菜室より上方に設けた請求項１から６のいずれか一項に記載の冷蔵庫。
【請求項８】
前記野菜室上部に冷凍室を設け、前記冷凍室背面に蒸発器を配置した冷却室を備えた請求項７に記載の冷蔵庫。
【請求項９】
前記第二の収納容器を左右段違いの深浅形状とする請求項１から８のいずれか一項に記載の冷蔵庫。
【請求項１０】
前記第二の収納容器を前後段違いの深浅形状とする請求項１から８のいずれか一項に記載の冷蔵庫。
【請求項１１】
前記ファンは前記蒸発皿へ対向させた請求項１に記載の冷蔵庫。
【発明の詳細な説明】
【技術分野】
【０００１】
本発明は、冷蔵庫に関し、特に断熱箱体庫内の最下部に配置される野菜室を備えた冷蔵庫に関する。
【背景技術】
【０００２】
近年、背の高いペットボトル飲料などが著しく普及し、かつ種類もお茶や水やスポーツドリンクなど日常常備して飲用するものから、ジュース類まで多岐にわたり、使用者の好みや生活習慣が変化してきている。したがって、冷蔵庫に収納するこれら飲料商品も種類や保有数が増加してきているので、収納性や収納量の向上に対するニーズがある。また、飲料品は基本的に横に寝かせて収納すると漏れてくることもあり、さらに使い勝手の面からもすぐに取り出せ元に戻せる縦置き収納が望まれている。
【０００３】
さらに、マンションなどの高密閉・高断熱な住宅が普及し家庭内における低温、低湿の保管場所、いわゆる冷暗所が少なくなっており、醤油などの調味料や米などの保存条件が悪く、品質低下に不満を持っている家庭もある。このようなことから、調味料や米を冷蔵庫に保管する、または、保管したいと考えている使用者もいる。
【０００４】
冷蔵庫の収納性を改善するために、野菜室の内容積の一部にペットボトルが収納できるように区画された冷蔵庫が提案されている（例えば、特許文献１参照）。
【０００５】
また、冷蔵庫は圧縮機や蒸発器や凝縮器などを環状に接続して内部に冷媒を封入してなる冷却サイクルを備えており、蒸発器により断熱箱体内部の空気を冷却して、冷凍や冷蔵などの低温の保存空間を実現している。そのため、空気中の水分は冷却されることで飽和結露、着霜し、定期的な除霜などにより庫外へとこれら凝縮水が排出される。
【０００６】
従来、この凝縮水を冷蔵庫本体内で完結処理するために、冷蔵庫の下方に配置された蒸発皿と称される薄いトレー状の部材内に凝縮水を蓄え、蒸発皿下方から加温し蒸発させている。また、圧縮機を冷却するためのファンからの風を利用して凝縮水の蒸発皿からの蒸発を促進している（例えば、特許文献１参照）。
【０００７】
図９および図１０は特許文献１に記載された従来の冷蔵庫および野菜室の構成を示すものである。
【０００８】
図９は、従来の冷蔵庫の断面図であり、図１０は、従来の冷蔵庫の野菜室収納容器の断面図である。
【０００９】
図９に示すように、断熱箱体１は、上から順に、冷蔵室２、野菜室３、冷凍室４で構成されている。庫内を冷却する冷却サイクルは断熱箱体１の背面底部に配置された機械室５内に設けられた圧縮機６と、凝縮器（図示しない）と、減圧器（図示しない）と、庫内背面に設けられた蒸発器７とを環状に接続され、内部に冷媒や冷凍機油を封入してある。
【００１０】
さらに庫内の蒸発器７近傍にはファン８が配置され、各室の空気を循環させて低温の蒸発器７と熱交換されて冷却する。蒸発器７は熱交換の際に飽和した空気中の水分が結露着霜する。霜による空気の循環阻害を防止するために、除霜ヒータ（図示しない）により定期的に除霜が行われ、除霜水は図示しないドレンチューブを経て、断熱箱体１の底面に設けられた薄いトレー状蒸発皿９に排出される。
【００１１】
蒸発皿９は下方に凝縮器の一部を用い排熱を利用した加熱手段１０を備え、凝縮水の蒸発を促進している。
【００１２】
また、図１０に示すように、野菜室３は第一の収納容器１１とその上部に配置した第二の収納容器１２とで大きく三つの収納区画を構成しており、手前に上部を開放された縦方向に長い、第一の収納空間１３と第二の収納容器１２内部の第二の収納空間１４と第一の収納空間１３の奥部で第二の収納容器１２の下部にあたる第三の収納空間１５が設けられている。
【００１３】
第一の収納空間１３は主に１．５Ｌから２Ｌの大型ペットボトルや１Ｌ紙パックなどの飲料品が収納可能であり、縦に保存したい野菜を収納することも可能である。また、第二の収納空間１４は主に果実類や小物野菜類を収納し、第三の収納空間１５には白菜やキャベツなどの大物野菜類を収納することが多い。
【００１４】
また、これらの野菜室の収納効率を上げる方法として上段容器を左右段違いの深浅形状として、上下収納空間の高さを各々大小二種類とすることが提案されている（例えば、特許文献２参照）。
【００１５】
図１１に特許文献２に記載された従来の冷蔵庫の野菜室の正面図を示す。
【００１６】
図１１に示すように、野菜室３には第一の収納容器１１と左右段違いの底面を有する第二の収納容器１２を備えており、左右方向に深浅形状として、第二の収納空間１４と第三の収納空間１５との高さを各々大小二種類としてある。
【００１７】
ここで、第二の収納空間１４は、深さが８５ミリの空間Ｂと、深さが１１５ミリの空間Ｃと、からなる。また、第三の収納空間１５は、深さが１４５ミリの空間Ｄと、深さが１７５ミリの空間Ｅと、からなる。
【００１８】
収納物による高さ寸法の設定は、第二の収納空間１４では、大物果実類として例えばグレープフルーツが収納可能な１１５ミリ（空間Ｃ）が設定され、第三の収納空間１５では、大物野菜として２Ｌサイズのキャベツが収納可能な１７５ミリ（空間Ｅ）が設定されている。この大物収納空間（空間Ｃと空間Ｅ）を互い違いに上下に設定することで、全体野菜室３の高さを２６０ミリに抑えており、冷蔵庫全体高さ寸法における野菜室の高さを抑制している。
【特許文献１】特開２００３−２７９２４２号公報
【特許文献２】特許第３８６７７０２号公報
【発明の開示】
【発明が解決しようとする課題】
【００１９】
冷蔵庫の収納容積は断熱壁の高性能化による薄壁化や冷却サイクルおよび風路のコンパクト化により、外形寸法を大きく変えることなく大型化が進んでいる。
【００２０】
また、冷蔵庫のレイアウトは使いやすさの観点から、上部に回転扉式の冷蔵室と下部に引き出し式の野菜室や冷凍室が複数段で設けられていることが日本国内市場での主流となってきた。特に大容量の大型冷蔵庫では引き出し３段の５枚〜６枚扉構成が近年の主流となっている。
【００２１】
収納容積の大型化の中で、特に冷蔵庫の高さは日本国内の住宅環境から大きいものでも、概ね１８００ミリと設計されている。さらに、上記のようなレイアウトの場合は引き出し室の使いやすさや冷蔵室への食品の出し入れやすさや冷蔵室の回転扉に設けられた扉棚の使いやすさの観点から、引き出し室の上部が床上１０００ミリ以下に設計されることが多く、更に平均身長が男性より低い女性にとって使いやすい高さとして９００ミリから９３０ミリ以下に最上段の引き出し高さを抑えることがなお良いとされている。
【００２２】
このように引き出し室の上限高さが制限される中で、３段に設けられた引き出し室の高さ寸法取り合いは重要な課題となっている。つまり冷凍室と野菜室と製氷室などの収納容量と高さ寸法はいずれかを大きくするといずれかが小さくせざるを得ないといった問題がある。
【００２３】
冷蔵庫の収納物の量や大きさは時代と共に移り変わってきているが、近年の傾向として、冷凍食品の市場の伸びなどから冷凍室容量の増加が望まれ、野菜室は野菜収納容量よりも１．５Ｌから２Ｌのペットボトルや１Ｌ紙パック飲料、ビン類などの収納容量と収納高さが望まれている。
【００２４】
野菜室の収納高さを１．５Ｌのペットボトルで設計すると、野菜室全体の収納高さが大きくなり、必然的に収納容量が増加するので、例えば冷凍室などの他の引き出し室の収納容量が相対的に減少していた。具体的には、手前の第一の収納区間高さが１．５Ｌサイズのペットボトルの高さ約３１０ミリ必要であり、上段の第二の収納空間高さは大物果実の１１５ミリで、下部の第三の収納空間高さは１７５ミリで、上下合わせて高さ２９０ミリとなる。野菜室の手前と奥部で必要な寸法差が２０ミリ発生しており、左右段違いの深浅形状により収納効率を向上させると、この差はさらに大きくなる。
【００２５】
また、従来の冷蔵庫は底面部に薄型トレー状の蒸発皿と、蒸発皿のさらに下部に蒸発促進のための凝縮器と、を設けているので、引き出し室の収納容積として利用可能な範囲が下方からも制限されており、引き出し室収納容積を最大限に確保することができていないといった問題があった。また、従来の冷蔵庫には、底面部に凝縮器や、冷蔵庫を制御するための基板を設けているものもある。すなわち、引き出し室の収納容積として利用可能な範囲が、通常、冷蔵庫の庫外で用いられている機能部品である、蒸発皿や凝縮器や基板などによって、下方からも制限されており、引き出し室収納容積を最大限に確保することができていないといった問題があった。
【００２６】
もちろん外形寸法を大きくすることで収納容積の確保は可能であるが、日本国内の住宅事情からは困難な状況であるうえに、外形寸法の大型化は使用材料及び重量の増加を伴い省資源化に反し、かつ生産コストを増加させ、輸送や保管等の過程でエネルギーの消費を増加させてしまうことになる。
【００２７】
本発明は、上記従来の課題を解決するもので、使いやすさを確保した上で、引き出し室の収納性を向上させて、引き出し室の高さ寸法を有効利用し、収納容積を広く確保できる冷蔵庫を提供することを目的とする。
【課題を解決するための手段】
【００２８】
上記従来の課題を解決するために、本発明の冷蔵庫は、外箱と内箱と前記外箱と前記内箱との間に設けた断熱材とからなる断熱箱体と、前記断熱箱体庫内の最下部に配置される野菜室とを備え、前記断熱箱体は、前記野菜室内の底面部が手前側の第一底部と、奥側の第二底部とからなり、前記第一底部は前記第二底部より低く下がって段差部を形成し、前記段差部の後方で前記第二底部の下方に位置する庫外に段差スペースを設けるとともに、前記段差スペースに冷蔵庫の庫外で用いられる機能部品である冷却サイクルにより発生する凝縮水を貯留、蒸発させる蒸発皿を配置するとともに、前記段差スペースの後方にさらにスペースを設けて、前記スペースに、前記蒸発皿に風を強制的に対流させ前記蒸発皿上の凝縮水の蒸発を促進させるファンを配置し、前記蒸発皿は前記ファンを配置した前記スペースまで延設されるとともに、前記野菜室内で下部に第一の収納容器と上奥部に第二の収納容器とを備え、前記第一の収納容器の手前側に形成された上下方向に長い第一の収納空間と、前記第二の収納容器で区画された第二の収納空間と、前記第二の収納容器の下方で前記第一の収納容器で区画された第三の収納空間とを備え、前記第一の収納空間の底部は前記第三の収納空間の底部よりも低い位置にあり、前記第一底部の上方に相対するものである。
【００２９】
これによって、比較的温度の高い野菜室を最下部にレイアウトすることにより底面部の断熱材厚みを比較的薄くすることができるうえ、冷蔵庫の開口部を最大限に高さ方向で利用可能となり、野菜室の手前に１．５Ｌから２Ｌのペットボトルなど背の高い飲料品を収納する空間を確保しつつ、野菜室の奥部の収納空間と冷蔵庫の庫外で用いられる機能部品とを効率的に配置することで、無駄の少ない空間配分が可能となる。
また、これにより、蒸発皿は蒸発水面の表面積を大きくとることができる薄いトレー状としてあるので比較的蒸発能力が高く小型化の対応が図りやすい。
また、これにより、野菜室の収納容器が、第一底部と第二底部とに沿う形状であるので無効容積を発生させることなく庫内を最大限に収納容器で利用可能である。さらに、野菜室の手前に設けた１．５Ｌから２Ｌのペットボトルなど背の高い飲料品を収納する第一の収納空間に十分な高さ寸法（約３２０ミリ高さ）を確保しながら、比較的高さ方向に裕度がある上奥部の第二の収納空間（約１１５ミリ高さ）、第三の収納空間（約１７５ミリ高さ）、第三の収納空間（約１７５ミリ高さ）の下方部庫外に薄型トレー状の前記蒸発皿（約３０ミリ高さ）を配置することで、野菜室の前後高さ差（約３０ミリ）を無駄にしない空間配分が可能となる。
【発明の効果】
【００３０】
本発明の冷蔵庫は、冷蔵庫の限られた高さ寸法を有効に利用でき、引き出し室の収納性と収納量を効率よく確保することができる。
【発明を実施するための最良の形態】
【００３１】
請求項１に記載の発明は、外箱と内箱と前記外箱と前記内箱との間に設けた断熱材とからなる断熱箱体と、前記断熱箱体庫内の最下部に配置される野菜室とを備え、前記断熱箱体は、前記野菜室内の底面部が手前側の第一底部と、奥側の第二底部とからなり、前記第一底部は前記第二底部より低く下がって段差部を形成し、前記段差部の後方で前記第二底部の下方に位置する庫外に段差スペースを設けるとともに、前記段差スペースに冷蔵庫の庫外で用いられる機能部品である冷却サイクルにより発生する凝縮水を貯留、蒸発させる蒸発皿を配置するとともに、前記段差スペースの後方にさらにスペースを設けて、前記スペースに、前記蒸発皿に風を強制的に対流させ前記蒸発皿上の凝縮水の蒸発を促進させるファンを配置し、前記蒸発皿は前記ファンを配置した前記スペースまで延設されるとともに、前記野菜室内で下部に第一の収納容器と上奥部に第二の収納容器とを備え、前記第一の収納容器の手前側に形成された上下方向に長い第一の収納空間と、前記第二の収納容器で区画された第二の収納空間と、前記第二の収納容器の下方で前記第一の収納容器で区画された第三の収納空間とを備え、前記第一の収納空間の底部は前記第三の収納空間の底部よりも低い位置にあり、前記第一底部の上方に相対するものである。
【００３２】
これにより、比較的温度の高い野菜室を最下部にレイアウトすることにより底面部の断熱材厚みを比較的薄くすることができるうえ、冷蔵庫の開口部を最大限に高さ方向で利用可能となり、引き出し室の高さ寸法と収納容積の確保が可能である。また、冷蔵庫の庫外で用いられる機能部品を効率的に配置することで、無駄の少ない空間配分が可能となる。
また、これにより、蒸発皿は蒸発水面の表面積を大きくとることができる薄いトレー状としてあるので比較的蒸発能力が高く小型化の対応が図りやすい。
また、これにより、野菜室の収納容器が、第一底部と第二底部とに沿う形状であるので無効容積を発生させることなく庫内を最大限に収納容器で利用可能である。さらに、野菜室の手前に設けた１．５Ｌから２Ｌのペットボトルなど背の高い飲料品を収納する第一の収納空間に十分な高さ寸法（約３２０ミリ高さ）を確保しながら、比較的高さ方向に裕度がある上奥部の第二の収納空間（約１１５ミリ高さ）、第三の収納空間（約１７５ミリ高さ）、第三の収納空間（約１７５ミリ高さ）の下方部庫外に薄型トレー状の前記蒸発皿（約３０ミリ高さ）を配置することで、野菜室の前後高さ差（約３０ミリ）を無駄にしない空間配分が可能となる。
【００３６】
請求項２に記載の発明は、請求項１に記載の発明において、前記第一の収納容器は、前記第一の収納空間と前記第三の収納空間との間に仕切部を備え、前記仕切部は、前記第一の収納容器と一体で成型されたものである。
【００３７】
これにより、第一底部と第二底部の段差をつなぐ傾斜面に相対する位置で収納容器底面の強度を向上させることで、底面の肉厚を上げたり、高いリブを設けて野菜室高さ方向の無効部を増加させることなく、食品収納時のたわみ変形を抑止して、底面とのクリアランスを削減することができる。
【００３８】
請求項３に記載の発明は、請求項１または２に記載の発明において、前記蒸発皿は、凹陥状の取手を底面に一体に備えたものである。
【００３９】
これにより、高さ寸法に裕度があるので断熱材の一部を凹ませることなく取手を構成でき、局部的な結露の可能性を根本回避し、かつ断熱材発泡時の流動阻害となる凸凹を少なくでき、安定した断熱材の発泡生成が可能である。さらに、取手を蒸発皿と一体で成型するので、部品点数を削減でき、低コストかつ省資源化が可能となる。また、冷蔵庫の製造も容易になる。
【００４０】
請求項４に記載の発明は、請求項１から３のいずれか一項に記載の発明において、前記蒸発皿は、近傍に前記蒸発皿に送風可能な送風手段を備え、前記送風手段を取り付ける取付部を一体に備えるものである。
【００４１】
これにより、送風手段を取り付ける取付部が蒸発皿と一体に成形されるため、取付部に取り付けられた送風手段と蒸発皿との位置関係が安定する。従って、複数の冷蔵庫を製造した場合でも、冷蔵庫間で蒸発効率にばらつきの少ない安定した冷蔵庫を提供することができる。また、部品点数を削減でき、低コストかつ省資源化が可能となる。
【００４２】
請求項５に記載の発明は、請求項１から４のいずれか一項に記載の発明において、前記蒸発皿は、周縁に一体に立設される壁部と、上面に一体に突設され前記壁部よりも高さの低く、凝縮水を貯留する主たる領域を確定するリブとを備えるものである。
【００４３】
これにより、リブにより蒸発皿の構造的強度が向上し、変形による蒸発皿の水漏れや局部溜まりによる蒸発能力低下を抑止するとともに、凝縮水を貯留する領域が確定されるため、効率よく凝縮水を蒸発させることができる位置（例えば送風手段からの風が効率よく当たる領域）に凝縮水をまず配置することが可能となる。また、当該領域から凝縮水が溢れた場合でも、蒸発皿全体を囲うように設けられる壁部により凝縮水を堰き止めるため、凝縮水が不本意に冷蔵庫の外部に漏れ出すことを防止することが可能となる。
【００４４】
請求項６に記載の発明は、請求項１から５のいずれか一項に記載の発明において、前記蒸発皿は、内部に加熱手段を備え、底面を水平面に対し傾斜させており、前記加熱手段を、前記蒸発皿の最低部近傍に配置されるものである。
【００４５】
これにより、蒸発皿の底板部の最も低い部分に凝縮水を集めることができ、当該部分に加熱手段が配置されるため、効率よく凝縮水を蒸発させることが可能となる。
【００４６】
請求項７に記載の発明は、請求項１から６のいずれか一項に記載の発明において、圧縮機を収納する機械室は、前記野菜室より上方に設けたものである。
【００４７】
これにより、野菜室の奥部の機械室無効容積を収納容積として利用可能であり、野菜室の手前部の第一の収納空間の奥行きを拡大して、例えばペットボトル類を二列に収納可能とすることや、醤油などの調味料を追加して収納することや、米などを上部より中身だけ小口に取り出しやすく収納することや、白菜などの大物の野菜でも立てて収納することで、これまで以上に使いやすさを向上させることができるとともに、野菜室の奥部の第二及び第三の収納空間を十分に確保でき、根菜類や果実類などの用途にあわせた収納空間をも十分に確保することができる。
【００４８】
請求項８に記載の発明は、請求項７に記載の発明において、前記野菜室上部に冷凍室を設け、前記冷凍室背面に蒸発器を配置した冷却室を備えたものである。
【００４９】
これにより、野菜室背面に機械室や冷却室による無効容積が存在しないので、外形寸法最大の奥行きで収納容積を確保できるので、より一層、第一、第二、第三の収納空間を自由度高く配分することが可能である。
【００５０】
請求項９に記載の発明は、請求項１から８のいずれか一項に記載の発明において、前記第二の収納容器を左右段違いの深浅形状とするものである。
【００５１】
これにより、第二底部の高さを更に上げて構成しても多様な高さの野菜や果実を収納することが可能である。
【００５２】
また、第一底部と第二底部の奥行き比率を変え第二底部の奥行きを小さくして蒸発皿の設置スペースが小さくなっても、蒸発皿の深さを確保することで、十分な蒸発皿保水量を確保することができる。また、蒸発皿の上下空間に凝縮器を配置して加熱手段として蒸発能力を増加させることも可能である。
【００５３】
請求項１０に記載の発明は、請求項１から８のいずれか一項に記載の発明において、前記野菜室の前記第二の収納容器を奥部が深い前後段違いの深浅形状とするものである。
【００５４】
これにより、第二の収納容器を後方にスライドさせても下部の第一の収納容器内の食品に引っかかることがない。
また、請求項１１に記載の発明は、前記ファンは前記蒸発皿へ対向させたものである。
【００５５】
さらに、従来の一般的な奥行きである約７００ミリの外形寸法で機械室が冷蔵庫の下部後方にある冷蔵庫は、機械室や冷却室などが背面に設けられていて、一つの収納空間当りの奥行きが短くなり、実用的な空間を確保することが困難で、引き出し室を奥行き方向に３段階に収納空間を変化させることは困難であるが、圧縮機等を配置する機械室を冷蔵庫の上部後方に配置した場合は、野菜室の背面に機械室を設けることがないので、奥行き方向に対して収納空間を最大限利用できるので、引き出し室を奥行き方向に３段階に実用的な収納空間を変化させることが可能となる。
【００５６】
また、第二底部の高さを更に上げて構成しても多様な高さの野菜や果実を収納することが可能である。
【００５７】
また、第一底部と第二底部の奥行き比率を変え第二底部の奥行きを小さくして蒸発皿の設置スペースが小さくなっても、蒸発皿の深さを確保することで、十分な蒸発皿保水量を確保することができる。また、蒸発皿の上下空間に凝縮器を配置して加熱手段として蒸発能力を増加させることも可能である。
【００５８】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００５９】
（実施の形態１）
本発明の実施の形態１における冷蔵庫について、その具体的な実施の形態を図面に基づいて説明する。
【００６０】
図１は、本発明の実施の形態１における冷蔵庫の正面図である。
【００６１】
同図に示すように、本実施の形態１における冷蔵庫１００は、観音開き式の扉を上部に備える冷蔵庫１００であり、冷蔵庫１００の内方と外方とを断熱状態で隔てる断熱箱体１０１内に複数に区画された貯蔵室を備えている。
【００６２】
冷蔵庫１００の内の複数に区画された貯蔵室は、その機能（冷却温度）によって冷蔵室１０２、製氷室１０５、庫内の温度が変更できる切換室１０６、野菜室１０３、および冷凍室１０４等と区別して称されることがある。
【００６３】
冷蔵庫１００の最上部に位置する冷蔵室１０２の前面開口部には、例えばウレタンのような断熱材を発泡充填した回転式の断熱扉１０７が設けられ、庫内は棚状の収納空間となっている。
【００６４】
また、冷蔵室１０２の下方に配置される製氷室１０５、切換室１０６、野菜室１０３、および冷凍室１０４は引き出し式の収納空間が設けられている。そして、それぞれの引き出しには、断熱扉１０８が設けられ、これにより冷気の漏れがないように貯蔵室を引き出し開閉自在に密閉している。
【００６５】
断熱箱体１０１は、金属製の外箱と樹脂製の内箱との間に例えば硬質発泡ウレタンなどの断熱材を充填して形成される少なくとも一面が開口した略直方体の箱体である。この断熱箱体１０１は、外方の雰囲気（大気）から断熱箱体１０１の内方に流入しようとする熱を遮断する機能を有している。
【００６６】
冷蔵室１０２は、冷蔵保存のために収納物が凍らない程度の低い温度に維持される貯蔵室である。具体的な温度の下限としては、通常１〜５℃の範囲で設定されている。
【００６７】
野菜室１０３は、断熱箱体１０１の最下部に配置され、主として野菜の冷蔵を目的とし、収納物が凍らない程度の低い温度に維持される。また、野菜室１０３は、冷蔵室１０２と同等もしくは若干高い温度設定となされている。具体な温度の下限としては、２℃〜７℃の範囲で設定されている。なお、凍らない低温にするほど葉野菜の鮮度を長期間維持することが可能である。
【００６８】
冷凍室１０４は、冷凍温度帯に設定される貯蔵室である。具体的には、冷凍保存のために通常−２２〜−１８℃の範囲で設定されているが、冷凍保存状態の向上のために、たとえば−３０や−２５℃の低温で設定されることもある。
【００６９】
製氷室１０５は、庫内に製氷機（図示せず）を設け製氷機で氷を作りその氷を保存する貯蔵室である。設定温度は冷凍室１０４とほぼ同等であるが省エネのために氷が解けない程度に温度を高く、例えば−１２℃から−１８℃の範囲で設定することもある。
【００７０】
切換室１０６は、冷蔵庫１００に取り付けられた操作盤により、用途に応じ冷蔵温度帯から冷凍温度帯まで切り換えることができる。
【００７１】
なお、冷蔵室１０２に備えられた観音開き扉は狭いキッチンスペースにおいて扉開閉に要するスペースを小さくすることができ、かつ左右どちらの方向からの動線においても、使い勝手を損なうことがないために、近年増加している形態であるが一枚の扉に比べて、扉棚の収納量が少ないというデメリットを有している。すなわち大型ペットボトルなどの飲料収納量で劣っており、収納性に対する不満があった。これを解決するために野菜室１０３の一部にペットボトルなどが縦収納可能となる空間を設けている。
【００７２】
また、冷蔵庫１００の全高は日本国内の住宅事情約１８００ミリと設定されており、これより大きくなると冷蔵庫の設置、運搬に支障をきたす場合が多くなる。下部の引き出し室の最上部高さは、引き出し室の使いやすさや冷蔵室１０２への食品の出し入れやすさや冷蔵室１０２の断熱扉１０７に設けられた扉棚の使いやすさの観点から、約９２０ミリとなっている。
【００７３】
また、野菜室１０３の引き出し上部高さは床上から約４００ミリで冷凍室１０４の引き出し上部高さは約７５０ミリとなり、冷凍室１０４と野菜室１０３との開口間口は各々約３１０ミリと約３３５ミリに設定されている。
【００７４】
図２は、本発明の実施の形態１における冷蔵庫を背面から示す斜視図である。
【００７５】
同図に示すように、冷蔵庫１００の天面部には、冷蔵庫１００の背面方向に向かって下りの階段状となるように凹部が形成されており、当該凹部内に機械室２０１が形成されている。なお、通常は静音化や内部部品の保護のため機械室２０１はカバー２０２で覆われている。
【００７６】
図３は、本発明の実施の形態１におけるカバーを開けた状態の冷蔵庫の上部背面を示す斜視図である。
【００７７】
同図に示すように、冷蔵庫１００は、機械室２０１の内方に、圧縮機２０３や圧縮機２０３を冷却するためのファン２１１の他、主として冷却サイクルの高圧側の構成部品が収納される空間である。機械室２０１は、断熱箱体１０１の外部の最上部後方領域に食い込んだ状態で形成されている。
【００７８】
ここで、機械室２０１が冷蔵庫１００の最上方の後方に配置される態様は、従来一般的であった断熱箱体１０１の最下部の貯蔵室後方領域に圧縮機２０３が配置される冷蔵庫に比べ、野菜室１０３等の最下方の貯蔵室の容量を格段に向上させることができると共に、冷蔵室１０２の最上方で手の届きにくいデッドスペースを機械室２０１として使用できるため、使いやすさの観点から有効な配置となり冷蔵庫１００の実際の収納容積を向上させることができる。特に下部を引き出し式で構成する場合は、奥行き方向の収納空間を前方に引き出して利用可能であるために最上部に比べてデッドスペースではないのでさらに有効な配置となる。
【００７９】
冷却サイクルは、圧縮機２０３と凝縮器（図示しない）と水分除去のためのドライヤ２５１と減圧器であるキャピラリー２５２と蒸発器（図示しない）と吸入配管２５３とを環状に配管接続してなり、内部に熱搬送を行う冷媒と潤滑及び絶縁のための冷凍機油を封入している。吸入配管２５３とキャピラリー２５２はサイクル効率化の目的にサイクル内部で熱交換が可能に例えば半田付けなどして密着させてある。
【００８０】
また、凝縮器は圧縮機２０３と、断熱箱体１０１の外郭部に熱交換可能に貼り付けた放熱配管部とを吐出配管２５４で接続してあり、ファン２１１による強制冷却を行うよう風路内に設けてある。吐出配管２５４は大きな螺旋状にしてファン２１１による熱交換長さを確保している。
【００８１】
また、冷媒には環境対応として温暖化係数が小さいＲ６００ａが用いられ、冷凍機油には相溶性の高い鉱油が用いられている。
【００８２】
圧縮機２０３は、冷媒を圧縮する装置であり、レシプロ式の圧縮方式をとり、さらに省エネのために、負荷が小さい場合には、低能力運転が可能なインバータ制御が採用されている。圧縮機２０３の下部には、外方突出状に脚体２３１が４本（内１本は図示せず）設けられており、脚体２３１が床板２０４に一体に設けられるピンと係合するとともに、防振ゴム２０５の上に載置され、機械室２０１に取り付けられている。
【００８３】
また、防振ゴム２０５の周りには円筒状の支承壁２４４が床板２０４から上方突出状一体に設けられている。これは、冷蔵庫１００が倒されたときに圧縮機２０３からピンに伝わる衝撃を、分散させて受け止め、ピンの破損を防止するためのものである。
【００８４】
なお、ピンの先端には有頭ピン２０６が取り付けられており、脚体２３１がピンから抜け出すのを防止している。
【００８５】
また、ファン２１１は圧縮機２０３の吸入配管２５３側に配置されており、吐出配管２５４側には構成部品を配置していないので比較的振動の大きい吐出配管２５４が他の部品などに干渉して異音を発生させることを根本的に解決できる。
【００８６】
また、吐出配管２５４を機械室２０１風路内に螺旋状に長く配置できるので、放熱能力を向上させることができる。
【００８７】
さらに、ファン２１１による風向は吸入配管２５３側からファン２１１、圧縮機２０３、吐出配管２５４と順に流れる方向としてある。これにより、圧縮機２０３に比較的低温のフレッシュな空気を流して温度上昇を抑えて、信頼性を高めることができる。特に吐出配管２５４と反対側から空気を吸い込むことで吐出配管２５４自体の放熱や吐出配管２５４につながる外箱左側壁面２５５の温度影響により空気温度が上昇することを抑止できる。
【００８８】
図４は、本発明の実施の形態１における冷蔵庫を下方から示す斜視図である。
【００８９】
同図に示すように、冷蔵庫１００の底部であって、断熱箱体１０１の外部底面には、蒸発皿３０１が取り付けられている。また、蒸発皿３０１の裏面には、凹陥状の取手３１１が一体に設けられている。
【００９０】
取手３１１は、冷蔵庫１００を背面を下方に倒した状態で運搬する際の手がかりとなる部分であり、蒸発皿３０１に一体に一対で設けられている。従って、蒸発皿３０１を冷蔵庫１００に取り付ければ冷蔵庫１００は、取手３１１を備えることとなり、断熱箱体１０１に直接取手を取り付ける場合に比べ、部品点数が減少し、製造工程を簡略化できて、冷蔵庫の製造を容易化することができる。
【００９１】
また、取手３１１は断熱壁中に埋設して設けていないのでウレタン発泡流動性を阻害することなく安定した断熱材充填が行える。
【００９２】
図５は、本発明の実施の形態１における冷蔵庫の下部のみを示す断面図である。
【００９３】
同図に示すように、断熱箱体１０１は、手前側の第一底部３２１と奥側の第二底部３２２とを備え、断熱箱体１０１の野菜室１０３庫内には第一の収納容器３０３と第二の収納容器３０４が備えられている。
【００９４】
なお、第一の収納容器３０３と第二の収納容器３０４の材質は、ＰＰ（ポリプロピレン）である。
【００９５】
第一底部３２１は、冷蔵庫１００の底部手前側を冷蔵庫１００の幅方向全体に渡って水平面に沿って配置される断熱箱体１０１の一部である。
【００９６】
第二底部３２２は、冷蔵庫１００の底部奥側を冷蔵庫１００の幅方向全体に渡って水平面に沿って配置される断熱箱体１０１の一部である。第二底部３２２は、第一底部３２１よりも一段上がった状態で配置されている。つまり、第一底部３２１と第二底部３２２で構成される断熱箱体１０１の底部３０２は、奥側に向かって上昇する階段状に形成されている。
【００９７】
第一の収納容器３０３は、引出の断熱扉１０８に追随して引き出され、手前内方に大型のペットボトルなどの収容対象物が収容される上下方向に長い第一の収納空間３０５を設け、第一の収納空間３０５の後方で第一の収納容器３０３上部に第二の収納容器３０４を後方にスライド可能に設けてある。また、第一の収納容器３０３の底部は、断熱箱体１０１の第一底部３２１と第二底部３２２とに沿うように、奥側に向かって上昇する階段状に形成されており、第二の収納容器３０４の内方を第二の収納空間３０６とし、第二の収納容器３０４の下方で第一の収納容器３０３の内方を第三の収納空間３０７としている。
【００９８】
また、第一の収納空間３０５と第三の収納空間３０７との間には底部より一体成型された仕切部３０８が形成されており、収納物の移動や倒れを防止している。
【００９９】
また、仕切部３０８は、第一底部３２１と第二底部３２２との段差をつなぐ傾斜面の上方に位置し、一体で底面と成型することにより第一の収納容器３０３底面の強度を向上させて、底面の肉厚減や補強リブ高さ低減などで、野菜室高さ方向の無効部を増加させることなく、食品収納時のたわみ変形を抑止して、第一の収納容器の底面と野菜室の底面とのクリアランスを最小限とすることができる。
【０１００】
なお、仕切部３０８は短くして成型サイクルを向上させても良いし、第二の収納容器３０４に近づくよう長くして、収納物の転倒防止性をさらに向上させても良い。
【０１０１】
なお、図４に示される断熱箱体１０１から垂れ下がって配置される管は、ドレン３２３である。ドレン３２３は、冷却サイクルで発生した凝縮水を、冷蔵庫１００の底部に配置される蒸発皿３０１に導くものである。
【０１０２】
なお、より詳細には、図５に示すように、断熱箱体１０１は、野菜室１０３内の底面部が手前側の第一底部３２１と、奥側の第二底部３２２とからなり、第一底部３２１は第二底部３２２より低く下がって段差部６００を形成し、段差部６００の後方で第二底部３２２の下方に位置する庫外に段差スペース６０１を設けるとともに、段差スペース６０１に冷蔵庫の庫外で用いられる機能部品である、冷却サイクルにより発生する凝縮水を貯留、蒸発させる蒸発皿３０１が配置されている。
【０１０３】
次に、第一の収納空間３０５内の収納物の倒れを防止するための転倒防止手段について説明する。
【０１０４】
図１２は、本発明の実施の形態１における冷蔵庫の第一の収納容器の要部斜視図である。
【０１０５】
図１３は、本発明の実施の形態１における冷蔵庫の第一の収納容器の転倒防止手段の斜視図である。
【０１０６】
図１４は、本発明の実施の形態１における冷蔵庫の第一の収納容器に転倒防止手段を取り付けた状態を示す要部斜視図である。
【０１０７】
図１５は、本発明の実施の形態１における冷蔵庫の第一の収納容器内の収納物の収納状態を示す上方から見た要部説明図である。
【０１０８】
図１６は、本発明の実施の形態１における冷蔵庫の第一の収納容器内の他の収納物の収納状態を示す上方から見た要部説明図である。
【０１０９】
図１４に示すように、仕切部３０８は、第一の収納空間３０５内の収納物の倒れを防止するための転倒防止手段４００を一つ備えている。この転倒防止手段４００は、仕切部３０８とは別部品であって、仕切部３０８に対して着脱可能となっている。この転倒防止手段４００は、収納物を支えるための平面部４０１と、仕切部３０８に固定するための固定部４０２と、が一体成形されたものである。
【０１１０】
これにより、第一の収納空間３０５内に収納された収納物である背の高い飲料品のペットボトルやビン類などの配置スペースを画定できることとなり、収納物の転倒を防止することができる。また、第一の収納空間３０５内での収納物の移動も防止することができる。特に、白菜などの大物野菜で不安定なものでも転倒を防止でき、立てて収納することができることとなり、第一の収納空間は使い勝手が向上する。
【０１１１】
また、図１３に示すように、固定部４０２の内側には、鉛直方向に凸部４０３が連続的に設けられている。また、図１２に示すように、第一の収納空間３０５と第三の収納空間３０７との間に成型された仕切部３０８の第一の収納空間３０５側には、鉛直方向に凹部３５０が連続的に設けられている。そして、この凸部４０３が凹部３５０と嵌めあわされて、転倒防止手段４００が仕切部３０８に固定される。
【０１１２】
これにより、転倒防止手段４００と仕切部３０８とに簡単な加工をすることで、転倒防止手段４００を固定するための別部品を新たに設けることなく、転倒防止手段４００を所定の位置に固定することができる。
【０１１３】
なお、凹部３５０と凸部４０３は、それぞれ、上方から下方に向かって幅が狭くなるようにテーパー状に形成されている。
【０１１４】
また、この凹部３５０は、仕切部３０８の幅方向に対して、所定の間隔を置いて、四本形成されている。
【０１１５】
これにより、転倒防止手段４００を固定する位置は、収納物の寸法や量によって、任意に決めることができ、第一の収納空間の収納物の配置スペースを柔軟に変えることができるので配置スペースの自由度が高まることとなり、第一の収納空間３０５内の使い勝手が向上する。
【０１１６】
次に、第一の収納容器３０３内の第一の収納空間３０５に収納物を収納した状態を説明する。
【０１１７】
図１５は、転倒防止手段４００を右から一つ目の凹部３５０（図示せず）に固定した時のものである。
【０１１８】
図１５に示すように、第一の収納空間３０５内に設けられた転倒防止手段４００によって区画されたスペースには、２Ｌペットボトル５０１と醤油の調味料ボトル５０２とが収納され、この転倒防止手段４００により、２Ｌペットボトル５０１や醤油の調味料ボトル５０２の転倒が防止されている。
【０１１９】
なお、図１５では、２Ｌペットボトル５０１と醤油の調味料ボトル５０２とが収納されているが、醤油の調味料ボトル５０２の代わりに２Ｌペットボトルを収納する、つまり、この区画されたスペースに、２Ｌペットボトルを２本置くこともできる。
【０１２０】
図１６は、転倒防止手段４００を右から二つ目の凹部３５０（図示せず）に固定した時のものである。
【０１２１】
図１６に示すように、第一の収納空間３０５内に設けられた転倒防止手段４００によって区画されたスペースには、醤油の調味料ボトル５０２が４本収納され、この転倒防止手段４００により、醤油の調味料ボトル５０２の転倒が防止されている。また、同一種類の収納物をひとつのスペースに配置できることとなり、第一の収納空間内３０５の使い勝手もよく、かつ、見栄えもよくなる。
【０１２２】
なお、本実施の形態では、図１５や図１６に示すように、転倒防止手段４０１の平面部４０１の先端部は、第一の収納容器３０３に固定されていない自由端４０１ａとなっているので、平面部４０１の先端部は柔軟性があるので、ビンなどの収納物が倒れかかった場合でも、その衝撃力を緩和でき、その衝撃音を低減できる。
【０１２３】
なお、本実施の形態では、転倒防止手段４０１の材質は、ＰＰ（ポリプロピレン）を用いており、比較的やわらかいので、ビンなどの収納物が倒れかかった場合でも、その衝撃力を緩和でき、その衝撃音を低減できる。
【０１２４】
なお、本実施の形態では、図１４に示すように、転倒防止手段４００は、固定部４０２と平面部４０１との境界部近傍には、補強部４０４を設けている。これにより、収納物が倒れた場合に、応力集中が起こりやすい転倒防止手段４００の根元部近傍の強度を向上できる。これに対して、転倒防止手段４００の先端部ある自由端４０１ａの近傍には、固定部４０２と平面部４０１との境界部近傍に設けたような、補強部４０４は設けていない。これにより、平面部４０１の先端部は柔軟性があるので、ビンなどの収納物が倒れかかった場合でも、その衝撃力を緩和でき、その衝撃音を低減できる。すなわち、転倒防止手段４００は、根元部近傍は、補強部４０４を設けて強度向上を狙ったもので、一方、先端部近傍は、根元部近傍に設けたような補強部４０４は設けず柔軟性を持たせたものとしている。
【０１２５】
なお、本実施の形態では、図１５に示すように、転倒防止手段４０１の奥行き長さである寸法Ｙは、第一の収納空間の奥行き長さをＺとした場合、Ｙ≧（３／４）×Ｚとすることが好ましい。
【０１２６】
これにより、第一の収納空間３０５に、ペットボトルなどを前後方向に二列置いた時でも、前列側のペットボトルの中心線より手前側に自由端４０１ａは位置するので、収納物をより安定して収納できる。
【０１２７】
なお、本実施の形態では、この転倒防止手段４００は、ひとつの仕切部に対して、一つとしたが、少なくとも二個以上設けてもよい。
【０１２８】
これにより、第一の収納空間内は、配置スペースを細分化できることとなり、例えば、ペットボトルと、ビン類と、白菜などの大物野菜と、の三種類の収納物の配置スペースを種類毎に得られることとなり、第一の収納空間３０５内の使い勝手をさらに向上できる。
【０１２９】
なお、本実施の形態では、転倒防止手段４００は、仕切部３０８とは別部品とし、仕切部３０８に対して着脱可能なるものとしたが、例えば、転倒防止手段は、仕切部３０８に一体成形することにより、予め、仕切部３０８に固定されたものでもよい。さらには、この転倒防止手段の先端部は、第一の収納容器３０３の手前側につなげることで、仕切部３０８と第一の収納容器３０３の手前側とをブリッジ状にしてもよい。
【０１３０】
これにより、第一の収納空間３０５に２Ｌペットボトルやビン類や白菜などの大物野菜や米などの比較的重量が大きい収納物を収納した時においても、第一の収納空間３０５の底面の強度を向上させることとなり、食品収納時のたわみ変形を抑止して、第一の収納容器と底面とのクリアランスを削減することができる。
【０１３１】
また、これにより、例えば、予め、幅方向に狭いスペースと広いスペースとに区画（ブロック化）することで、例えば、狭いスペースに米を、広いスペースに２Ｌペットボトルなどを、それぞれ収納することができ、消費者は収納物をより区分して収納しやすくなる。
【０１３２】
また、これにより、転倒防止手段は、仕切部３０８と一体成形されるので、転倒防止手段として、部品点数を増加させることはない。
【０１３３】
図６は、本発明の実施の形態１における蒸発皿を示す斜視図である。
【０１３４】
同図に示すように、蒸発皿３０１は、冷却サイクル、特に蒸発器（図示しない）で発生する凝縮水を貯留し、強制的に凝縮水を蒸発させるための容器であり、取付部３１２と、壁部３１３と、リブ３１４と、底板部３１５とを備えている。また、冷蔵庫１００は、蒸発皿３０１関連部品として、送風手段であるファン３２４と、冷却サイクルの凝縮器配管の一部を用いた加熱手段３２５とを備えている。
【０１３５】
取付部３１２は、ファン３２４を蒸発皿３０１に取り付ける枠状の部材であり、蒸発皿３０１と一体に成形されている。これにより、複数個製造された蒸発皿３０１のそれぞれに、ファン３２４を取り付けた場合でも、蒸発皿３０１とファン３２４との位置関係が安定し、いずれの蒸発皿３０１においても所望の位置に風を送ることが可能となる。
【０１３６】
壁部３１３は、蒸発皿３０１の周縁に一体に立設される部分であり、凝縮水を堰き止め、蒸発皿３０１から凝縮水があふれ出すのを防止する機能を有している。
【０１３７】
リブ３１４は、凝縮水を貯留する領域をするものであり、蒸発皿３０１に一体に突設される薄板状の部材である。また、リブ３１４の高さは壁部３１３の高さよりも低く設定されている。
【０１３８】
本実施の形態の場合、リブ３１４は、奥側に配置される壁部３１３から手前側に配置される壁部３１３に至るまで奥行き方向に延びた状態で設けられ、当該リブ３１４が蒸発皿３０１の幅方向の中間部に２本、平行に設けられている。また、蒸発皿３０１が冷蔵庫１００に取り付けられた場合、ドレン３２３から吐出される凝縮水が前記２本のリブ３１４に挟まれるように、リブ３１４が配置されている。
【０１３９】
これにより、蒸発対象の凝縮水は、２本のリブ３１４と壁部３１３で囲まれた領域に貯留される。当該領域は、例えば、ファン３２４からの風を最も強く受ける領域であり、また、加熱手段３２５が配置される領域である。したがって、当該領域に貯留される凝縮水は効率よく蒸発させることが可能となる。
【０１４０】
また、凝縮水がことのほか多く、万が一、凝縮水がリブ３１４を越えてあふれ出した場合でも、リブ３１４の外方に配置される壁部３１３はリブ３１４よりも背が高いため、あふれ出した凝縮水を壁部３１３が堰き止めることができる。従って、不本意に凝縮水が蒸発皿３０１から冷蔵庫１００の外部にあふれ出すことを防止している。
【０１４１】
また、蒸発皿３０１に取手３１１が設けられているが、蒸発皿３０１にはリブ３１４が設けられ、蒸発皿３０１の構造的強度の強化が図られているため、取手３１１を手がかりにして冷蔵庫１００が持ち上げられた場合でも、当該荷重に十分抗することが可能となる。
【０１４２】
底板部３１５は、蒸発皿３０１の底部の一部を形成する板状の部分であり、凝縮水を所定の位置に導くために、前記所定の位置が最も低くい最低部３１６となるように水平面に対し傾いた状態で配置されている。本実施の形態の場合、底板部３１５の最低部３１６は、蒸発皿３０１の奥側であって加熱手段３２５が配置される位置に設定されている。
【０１４３】
ファン３２４は、蒸発皿３０１に風を強制的に対流させ、蒸発皿３０１上の凝縮水の蒸発を促進させる機能を備える送風手段である。つまり、蒸発皿３０１から蒸発し蒸発皿３０１の上方に滞留している水分により、蒸発効率が阻害されるが、当該水分をファン３２４により強制的に排除することで、蒸発皿３０１上方の湿度が低下して蒸発を促進させることが可能となる。また、ファン３２４は、圧縮機を冷却する必要がなく蒸発促進専用として取り付けられているため、十分に上記効果が発揮できる位置に取り付けられることが可能となる。
【０１４４】
また、ファン３２４は断熱箱体１０１の後方から空気を吸い込み蒸発皿３０１を経て手前及び側面へと吐出する風路構成をとっているので、蒸発により湿った空気が背面に流れでて、万一、背面近傍の周囲が温度が低い環境条件であった場合などに結露を発生させる恐れがなく、開放空間である冷蔵庫１００前面に拡散させることができる。従来では、圧縮機２０３の放熱を兼ねた風路設計であったので、冷蔵庫１００前面部への空気吐出をすると、生暖かい空気が使用者の足元にかかって不快となり実現できずにいた。
【０１４５】
また、加熱手段３２５は、蒸発皿３０１の最低部３１６に載置されるように配置される配管であり、圧縮機２０３から圧送される高温の冷媒が通過するものとなっている。
【０１４６】
また、加熱手段３２５は、蒸発皿３０１から上方突出状に一体で設けられる挟持板３２６に挟まれた状態で最低部３１６に取り付けられており、蒸発皿３０１の一方から最低部３１６に進入し、Ｕ字形状を描いて前記方向と同方向に抜け出すように配管されている。これにより狭持板３２６を通じて底板部３１５が熱伝導によりさらに加温される。また、加熱手段３２５は、冷却サイクルの一部を構成しているが、蒸発皿３０１に貯留される凝縮水中に浸漬され凝縮水と接触するため、防錆処理を施すことが望ましく、また、他の冷却サイクル構成部品と異なり、加熱手段３２５のみ耐水性の高い材質、例えばステンレスなどの材料を採用してもかまわない。
【０１４７】
上記構成を備えた冷蔵庫１００は、比較的温度の高い野菜室１０３を断熱箱体１０１の最下部にレイアウトすることにより底面部の断熱材厚みを比較的薄くすることができるうえ、断熱箱体１０１の手前側の第一底部３２１をできる限り低くすることができるので、冷蔵庫の開口部を最大限に高さ方向で利用可能となり、引き出し室の高さ寸法と収納容積を大きく確保することが可能である。
【０１４８】
また、野菜室１０３の第一の収納容器３０３が、第一底部３２１と第二底部３２２とに沿う形状であるので収納に無効な容積を発生させることがない。さらに、第一の収納容器３０３は引き出し式で図示しない多段式の延長レール構造により前後に摺動し、断熱箱体１０１の間口より前方まで容器全体が引き出されるので取り出し性が格段に向上し、最奥部まで有効に利用できる。
【０１４９】
ところで、第一の収納容器３０３の後方底部は野菜室１０３の底面に沿って前後に移動することになる。第一の収納容器３０３のたわみやレールやケースの取り付け精度やウレタン発泡のデフォームなどにより、第一の収納容器３０３と野菜室１０３の底面とが接触しないように、所定のクリアランスが設けられており、その分だけ高さ方向に収納無効部が発生する。
【０１５０】
しかしながら、野菜室１０３の底面が前後方向に階段状になっており、第一の収納容器３０３もこれに沿った形状としているので、第一の収納容器３０３の後部である第三の収納空間下部に当たる底面は、前後方向に引き出されると、第二底部３２２に沿って移動した後、引き出し途中で第一底部３２１に沿った移動となる。したがって、従来よりも短い前後移動距離だけクリアランスを確保すればよいので、余分な無効容積を増加させることのない設計が可能である。
【０１５１】
次に、断熱箱体の庫内底面部が前後方向に階段状になっており、第一の収納容器３０３もこれに沿った形状とすることにより、第一の収納容器の底面と野菜室の底面とで形成されるクリアランスを小さくすることができることについて、以下に詳細に説明する。
【０１５２】
このように、本実施の形態は、断熱箱体の庫内底面部が前後方向に階段状になっており、第一の収納容器３０３もこれに沿った形状としている。
【０１５３】
これにより、底部３０２の前後方向の平面部を手前側の第一底部３２１と奥側の第二底部３２２とに分割されている（すなわち、前後方向に二分割されている）ことで、底部の前後方向の平面部を分割しない（すなわち、前後方向に階段状にせず、平坦な面とする）場合と比べて、面の変形量を小さくできる（具体的には、第一の収納容器３０３自身を成形するときに、第一の収納容器３０３の底面のたわみ変形量を小さくできる、また、最下段の仕切り板である底部３０２を成形するときに、ウレタン発泡のデフォームによる内箱の変形量を小さくできる）こととなり、第一の収納容器３０３の底面と野菜室１０３の底面とで形成されるクリアランスを小さくすることができ、その分、第一の収納容器３０３を大きくでき、収納容積をより広く確保することができる。
【０１５４】
また、第一の収納容器３０３の底面と野菜室１０３の底面とで形成されるクリアランスを小さくすることができるので、第一の収納容器３０３内に食品を入れるスペースの高さを保持したまま、高さ方向の下方の無効容積を削減できるので、引き出し室区画の高さを最小化できることとなり、冷蔵室１０２の底面を低い位置にできるので、冷蔵室１０２への食品が出し入れしやすく、また、冷蔵室１０２の断熱扉１０７に設けられた扉棚も使いやすくなり、消費者の使い勝手が向上する。
【０１５５】
ところで、冷蔵庫には、各貯蔵室を区切るための断熱性を有する仕切り板を各貯蔵室間に設けている。この複数の仕切り板のうち、最下段の仕切り板である底部３０２は、発泡断熱材で一体成形されているが、一体成形する際、発泡押さえ冶具を用いているので、内箱に、発泡押さえ冶具を抜く為の抜き勾配を設ける必要がある。この抜き勾配が大きくなると、第一の収納容器３０３の底面と野菜室１０３の底面とで形成されるクリアランスは、この抜き勾配分（傾斜分）だけ大きくなるので、無効容積が増えてしまう。
【０１５６】
しかしながら、本実施の形態のように、断熱箱体の庫内底面部が前後方向に階段状になっており、第一の収納容器３０３もこれに沿った形状としていることにより、発泡押さえ冶具を抜く深さ（すなわち、前後方向の長さ）が見かけ上、小さくなるので、発泡押さえ冶具と内箱との接触面積が減り、その結果、内箱に設ける抜き勾配を小さくしても、発泡押さえ冶具の抜き取り性を確保することができることとなり、第一の収納容器３０３の底面と野菜室１０３の底面とで形成されるクリアランスを小さくすることができ、その分、第一の収納容器３０３を大きくでき、収納容積をより広く確保することができる。
【０１５７】
次に、第一の収納容器３０３の寸法関係について、図１７を用いて説明する。
【０１５８】
図１７は、本発明の実施の形態１における冷蔵庫の第一の収納容器の寸法関係を示す断面図である。
【０１５９】
第一の収納容器３０３の第一の収納空間３０５の底部の寸法（Ａ）は、第一の収納容器３０３の奥行き寸法を（Ｌ）とした場合、上記したように、面の変形量を小さくする（具体的には、第一の収納容器３０３自身を成形するときに、第一の収納容器３０３の底面のたわみ変形量を小さくできる、また、最下段の仕切り板である底部３０２を成形するときに、ウレタン発泡のデフォームによる内箱の変形量を小さくできる）観点から、Ａ＝（１／２）×Ｌとする。これにより、手前側の第一底部３２１と奥側の第二底部３２２との変形量をほぼ同じにできるので、第一の収納容器３０３の底面と野菜室１０３の底面とで形成されるクリアランスを最小限にすることができ、その分、第一の収納容器３０３を大きくでき、収納容積をより広く確保することができる。
【０１６０】
しかしながら、面の変形量を小さくし、クリアランスを小さくするとともに、冷蔵庫の使い勝手をも向上させる点について、発明者らは詳細な検討を行い、以下の知見を得た。以下に詳細に説明する。
【０１６１】
発明者らは、冷蔵庫の使い勝手をも向上させる点についても、検討した結果、第一の収納容器３０３の第一の収納空間３０５の底部の寸法（Ａ）は、第一の収納容器３０３の奥行き寸法を（Ｌ）とした場合、好ましいのは、（１／３）×Ｌ＜Ａ＜（１／２）×Ｌの範囲である。
【０１６２】
具体的には、Ａ＞（１／２）×Ｌになると、第一の収納容器３０３の第三の収納空間３０７の底面のたわみ変形量や、奥側の第二底部３２２のウレタン発泡のデフォームによる内箱の変形量は小さくなるものの、第一の収納容器３０３の第一の収納空間３０５の底面のたわみ変形量や、手前側の第一底部３２１のウレタン発泡のデフォームによる内箱の変形量、は大きくなる。よって、前後方向に関して、トータルで見ると、面の変形量は大きくなり、第一の収納容器３０３の底面と野菜室１０３の底面とで形成されるクリアランスは大きくなり、その分、無効容積が増えてしまう。さらには、１．５Ｌから２Ｌのペットボトルなど背の高い飲料品や米などの比較的重い収納物を、多数、第一の収納空間３０５に置くので、第一の収納空間３０５に収納物を収納した時に、第一の収納容器３０３の第一の収納空間３０５の底面のたわみ変形量は、より大きくなる可能性があるので、収納物を第一の収納空間３０５に収納した時のたわみ変形量を想定すると、設計上、第一の収納容器３０３の底面と野菜室１０３の底面とで形成されるクリアランスは、より大きくとる必要があるので、無効容積がより増えてしまう。また、第２の収納空間３０６や第３の収納空間３０７のスペースが十分確保できなくなり、根菜類や果実類などの収納量が減り、野菜室の使い勝手が低下する。
【０１６３】
一方、Ａ＜（１／３）×Ｌになると、第一の収納容器３０３の第一の収納空間３０５の底面のたわみ変形量や、手前側の第一底部３２１のウレタン発泡のデフォームによる内箱の変形量は小さくなるものの、第一の収納容器３０３の第三の収納空間３０７の底面のたわみ変形量や、奥側の第二底部３２２のウレタン発泡のデフォームによる内箱の変形量、は大きくなる。よって、前後方向に関して、トータルで見ると、面の変形量は大きくなり、第一の収納容器３０３の底面と野菜室１０３の底面とで形成されるクリアランスは大きくなり、その分、無効容積が増えてしまう。また、第一の収納空間３０５に収納する１．５Ｌから２Ｌのペットボトルなど背の高い飲料品や米などの収納量が少なくなり、冷蔵庫の使い勝手が低下してしまう。
【０１６４】
すなわち、本実施の形態で、好ましい、第一の収納容器３０３の第一の収納空間３０５の底部の寸法（Ａ）とは、第一の収納容器３０３の奥行き寸法を（Ｌ）とした場合、（１／３）×Ｌ＜Ａ＜（１／２）×Ｌ、の範囲に入るようにしたものであり、第一の収納容器３０３の底面と野菜室１０３の底面とで形成されるクリアランスを小さくできるので、無効容積を減らすとともに、１．５Ｌから２Ｌのペットボトルなど背の高い飲料品や米などの収納量が少なくならず、かつ、第２の収納空間や第３の収納空間のスペースを十分確保し、根菜類や果実類などの収納量を確保でき、冷蔵庫の使い勝手を低下させることがない。
【０１６５】
なお、第一の収納容器３０３の奥行き寸法（Ｌ）を約５００ミリとした場合、好ましい、第一の収納容器３０３の第一の収納空間３０５の底部の寸法（Ａ）は、具体的な寸法でいうと、１６７ミリ＜Ａ＜２５０ミリとなる。
【０１６６】
また、発明者らは、上記した、好ましい、第一の収納容器３０３の第一の収納空間３０５の底部の寸法（Ａ）である、（１／３）×Ｌ＜Ａ＜（１／２）×Ｌ、をより詳細に分析した結果、以下の知見を得た。
【０１６７】
具体的には、１７５ミリ＞Ａにすることで、近年一般によく使われる２Ｌのペットボトルの寸法は、約１１０ミリ（幅方向）×約９０ミリ（奥行き方向）×約３１０ミリ（高さ方向）であり、第一の収納空間３０５内において、２Ｌのペットボトルを前後方向に一列にしか収納できない。また、２Ｌのペットボトルを一列置いた時に、第一の収納空間３０５内の前後方向に無駄なスペースが生じてしまう。
【０１６８】
また、１９５ミリ＜Ａにすることで、約９０ミリ（奥行き方向）の辺を前後方向に置くことにより、２Ｌのペットボトルを二列置けるが、この場合でも、第一の収納空間３０５内の前後方向に無駄なスペースが多く生じてしまう。また、一般的には、２Ｌのペットボトルを三列置く（すなわち、２Ｌのペットボトルを、幅方向に４本×前後方向に３本で合計１２本収納する）までには至らないことが多く、効率的なスペース配置とはいえない。
【０１６９】
これに対して、第一の収納容器３０３の第一の収納空間３０５の底部の寸法（Ａ）は、１７５ミリ＜Ａ＜１９５ミリにすることで、以下の点で、より好ましい。
【０１７０】
近年一般によく使われる２Ｌのペットボトルの寸法は、約１１０ミリ（幅方向）×約９０ミリ（奥行き方向）×約３１０ミリ（高さ方向）であり、第一の収納空間３０５内において、約９０ミリ（奥行き方向）の辺を前後方向に置くことにより、前後方向に対して無駄の少ないスペースで、２Ｌのペットボトルを前後方向に二列に収納可能となる。
【０１７１】
従来は、２Ｌのペットボトルが前後方向に一列しか置けないスペースであったため、例えば、収納容器の幅方向の長さは約５３０ミリとした場合、２Ｌのペットボトルは合計４本しか置けなかった。
【０１７２】
これに対して、第一の収納容器３０３の幅方向の長さは約５３０ミリとした場合、第一の収納空間３０５内に、約９０ミリ（奥行き方向）の辺を前後方向に置くことにより、この２Ｌのペットボトルを合計８本（幅方向に４本×前後方向に２本）収納でき、近年、よく使われている２Ｌのペットボトルの収納本数を増すことができ、消費者の野菜室の使い勝手を向上できる。
【０１７３】
よって、より好ましい、第一の収納容器３０３の第一の収納空間３０５の底部の寸法（Ａ）とは、１７５ミリ＜Ａ＜１９５ミリであり、第一の収納容器３０３の底面と野菜室１０３の底面とで形成されるクリアランスを小さくできるので、無効容積を減らすとともに、第一の収納空間３０５内において、前後方向に対して無駄の少ないスペースで、２Ｌのペットボトルを前後方向に二列に収納可能となり、近年、よく使われている２Ｌのペットボトルの収納本数を増すことができ、消費者の野菜室の使い勝手を向上できる。
【０１７４】
さらに、手前に設けた１．５Ｌから２Ｌのペットボトルなど背の高い飲料品を収納する第一の収納空間３０５を避けて、比較的高さ方向に裕度がある奥部の第三の収納空間３０７の庫外下方部に蒸発皿３０１を配置することで、無駄のない空間配分が可能となる。
【０１７５】
また、蒸発皿３０１は蒸発水面の表面積を大きくとることができる薄いトレー状としてあるので比較的蒸発能力が高く小型化の対応が可能である。
【０１７６】
さらに、ファン３２４や加熱手段３２５による蒸発能力の向上によりさらに、蒸発皿３０１の小型化で収納容積を拡大することが可能となる。
【０１７７】
また、野菜室１０３の後部に機械室２０１や蒸発器（図示しない）を配置せずに最奥部まで収納空間として利用することにより、手前部の第一の収納空間３０５の奥行きを拡大して、例えばペットボトル類を二列に収納可能とすることや、醤油などの調味料を追加して収納することや、米などを上部より中身だけ小口に取り出しやすく収納することや、白菜などの大物の野菜でも立てて収納することで、これまで以上に使いやすさを向上させることができる上に、奥部の第二及び第三の収納空間３０６、３０７を十分に確保でき、根菜類や果実類などの用途にあわせた収納空間をも十分に確保することができる。
【０１７８】
この時、圧縮機などの機器に阻害されずに、蒸発皿３０１を断熱箱体１０１の背面から配置できるので、蒸発皿３０１の水面表面積を拡大し蒸発能力を向上させることができる。
【０１７９】
上記実施の形態では、ファン３２４として軸流ファンを用いたが、ファン３２４としてクロスフローファンやシロッコファンなどを用いてもかまわない。
【０１８０】
また、加熱手段３２５は、単なる円筒状の管として説明したが、凝縮水との熱交換効率を高めるため、加熱手段３２５の表面に放熱面積を増加させるためのフィンを設けてもかまわない。
【０１８１】
なお、加熱手段は、蒸発皿３０１の底部に貼り付けた面ヒータであれば、冷却サイクルの運転状況や周囲環境条件によらず、安定した加熱量を蒸発皿３０１に提供できる上、独立した加熱量の制御ができるので、幾日も続く扉の閉め忘れなど極端な使用条件下における万一の凝縮水の増加などにも対応した設計が可能である。
【０１８２】
なお、本実施の形態では、圧縮機２０３を引き出し室より上方に配置した冷蔵庫において説明したが、下部に機械室２０１があり圧縮機２０３を配置したレイアウトにおいても有効に収納空間を確保できることに変わりはない。
【０１８３】
なお、本実施の形態では、蒸発皿３０１を薄型のトレー状としたが、これは蒸発能力を最も省エネで低コストかつ省資源で確保するためには、水の蒸発面積を拡大することが有効であるので、省エネ、省資源を実現するために効果がある。
【０１８４】
なお、本実施の形態では、段差スペース６０１に冷蔵庫の庫外で用いられる機能部品として、蒸発皿３０１を配置したが、蒸発皿３０１の代わりに、通常、冷蔵庫の庫外で用いられる機能部品である、凝縮器や圧縮機や送風機や各種ヒーターなどの通電制御を行う制御基板を配置することによっても、無駄の少ない空間配分が可能となる。
【０１８５】
これら冷蔵庫の庫外で用いられる機能部品は、通常は冷蔵庫本体の外郭の一部に別途機械室や基板収納部などのスペースを設けて、その分庫内側への容積圧迫要因となっていたものであるが、段差スペース６０１を効果的に活用することによって庫内の容積効率を高めることができる。
【０１８６】
なお、配置構成的に例えば、段差スペース６０１に凝縮器を配置した場合には、底部３０２周辺の湿り空気滞留による結露防止にも一定の効果が見込め好都合である。
【０１８７】
（実施の形態２）
次に、本発明の実施の形態２における冷蔵庫について、その具体的な実施の形態を図面に基づいて説明する。
【０１８８】
図７は、本発明の実施の形態２における冷蔵庫の野菜室正面断面図である。
【０１８９】
同図に示すように、本実施の形態２における冷蔵庫１００は、野菜室１０３庫内に第二の収納容器３０４を左右段違いの深浅形状としてあり、第一の収納容器３０３の側面フランジ部上に前後方向にスライド可能に設けてある。
【０１９０】
これにより、第二底部３２２の高さを更に上げて構成しても野菜室１０３の奥部の高さに対して多様な高さの野菜や果実を収納することが可能となる。
【０１９１】
また、第一底部３２１と第二底部３２２の奥行き比率を変え第二底部３２２の奥行きを小さくして蒸発皿３０１の設置スペースをさらに小さくしても、蒸発皿３０１の深さを確保することで、十分な蒸発皿保水量を確保できる。
【０１９２】
これにより、第一の収納空間３０５をより大きくして、例えば、ペットボトル類を二列に収納可能とすることや、醤油などの調味料を追加して収納することや、米などを上部より中身だけ小口に取り出しやすく収納することや、白菜などの大物の野菜でも立てて収納することなど、縦収納量の多い使用者に対しても、満足してもらえるような容量配分が可能となり、これまで以上に使用者の使いやすさを向上させることができる。すなわち、野菜室の中の空間配分の設計自由度が高い構成をとることができる。
【０１９３】
また、蒸発皿の上下空間に凝縮器を配置して加熱手段として蒸発能力を増加させることも可能である。
【０１９４】
（実施の形態３）
次に、本発明の実施の形態３における冷蔵庫について、その具体的な実施の形態を図面に基づいて説明する。
【０１９５】
図８は、本発明の実施の形態３における冷蔵庫の野菜室側面断面図である。
【０１９６】
同図に示すように、本実施の形態３における冷蔵庫１００は、野菜室１０３の第二の収納容器３０４を奥部が深い前後段違いの深浅形状としてある。
【０１９７】
これにより、第二の収納容器３０４を後方にスライドさせても下部の第一の収納容器３０３内の食品に引っかかることがない。
【０１９８】
さらに、従来の一般的な奥行きである約７００ミリの外形寸法で機械室が冷蔵庫の下部後方にある冷蔵庫は、機械室や冷却室などが背面に設けられていて、一つの収納空間当りの奥行きが短くなり、実用的な空間を確保することが困難で、引き出し室を奥行き方向に３段階に収納空間を変化させることは困難であるが、圧縮機等を配置する機械室を冷蔵庫の上部後方に配置した場合は、野菜室の背面に機械室を設けることがないので、奥行き方向に対して収納空間を最大限利用できるので、引き出し室を奥行き方向に３段階に実用的な収納空間を変化させることが可能となる。
【０１９９】
また、第二底部３２２の高さを更に上げて構成しても多様な高さの野菜や果実を収納することが可能である。
【０２００】
また、第一底部３２１と第二底部３２２の奥行き比率を変え第二底部３２２の奥行きを小さくして蒸発皿の設置スペースが小さくなっても、蒸発皿３０１の深さを確保することで、十分な蒸発皿保水量を確保することができる。
【０２０１】
これにより、第一の収納空間３０５をより大きくして、例えば、ペットボトル類を二列に収納可能とすることや、醤油などの調味料を追加して収納することや、米などを上部より中身だけ小口に取り出しやすく収納することや、白菜などの大物の野菜でも立てて収納することなど、縦収納量の多い使用者に対しても、満足してもらえるような容量配分が可能となり、これまで以上に使用者の使いやすさを向上させることができる。すなわち、野菜室の中の空間配分の設計自由度が高い構成をとることができる。
【０２０２】
また、蒸発皿の上下空間に凝縮器を配置して加熱手段として蒸発能力を増加させることも可能である。
【産業上の利用可能性】
【０２０３】
以上のように、本発明にかかる冷蔵庫は、冷蔵庫の限られた高さ寸法を有効に利用でき、引き出し室の収納性と収納量を効率よく確保することができるので、家庭用の冷蔵庫に限らず業務用冷蔵庫やショーケースなどの冷却機器にも利用可能である。
【図面の簡単な説明】
【０２０４】
【図１】本発明の実施の形態１における冷蔵庫の正面図
【図２】本発明の実施の形態１における冷蔵庫を背面から示す斜視図
【図３】本発明の実施の形態１におけるカバーを開けた状態の冷蔵庫の上部背面を示す斜視図
【図４】本発明の実施の形態１における冷蔵庫を下方から示す斜視図
【図５】本発明の実施の形態１における冷蔵庫の下部のみを示す断面図
【図６】本発明の実施の形態１における蒸発皿を示す斜視図
【図７】本発明の実施の形態２における冷蔵庫の正面断面図
【図８】本発明の実施の形態３における冷蔵庫の側面断面図
【図９】従来の冷蔵庫の断面図
【図１０】従来の冷蔵庫の野菜室収納容器の断面図
【図１１】従来の冷蔵庫の野菜室の正面図
【図１２】本発明の実施の形態１における冷蔵庫の第一の収納容器の要部斜視図
【図１３】本発明の実施の形態１における冷蔵庫の第一の収納容器の転倒防止手段の斜視図
【図１４】本発明の実施の形態１における冷蔵庫の第一の収納容器に転倒防止手段を取り付けた状態を示す要部斜視図
【図１５】本発明の実施の形態１における冷蔵庫の第一の収納容器内の収納物の収納状態を示す上方から見た要部説明図
【図１６】本発明の実施の形態１における冷蔵庫の第一の収納容器内の他の収納物の収納状態を示す上方から見た要部説明図
【図１７】本発明の実施の形態１における冷蔵庫の第一の収納容器の寸法関係を示す断面図
【符号の説明】
【０２０５】
１００  冷蔵庫
１０１  断熱箱体
１０３  野菜室
１０４  冷凍室
２０３  圧縮機
２１１  ファン（送風手段）
３０１  蒸発皿
３０２  底部
３０３  第一の収納容器
３０４  第二の収納容器
３０５  第一の収納空間
３０６  第二の収納空間
３０７  第三の収納空間
３０８  仕切部
３１１  取手
３１２  取付部
３１３  壁部
３１４  リブ
３１５  底板部
３２１  第一底部
３２２  第二底部
３２４  ファン（送風手段）
３２５  加熱手段
３５０  凹部
４００  転倒防止手段
４０３  凸部
６００  段差部
６０１  段差スペース
【要約】
【課題】引き出し室の収納性と収納量を向上させるために、引き出し室の高さ寸法を有効利用し、収納容積を広く確保できる冷蔵庫を提供する。
【解決手段】断熱箱体１０１と、最下部に配置される野菜室１０３と、冷却サイクルにより発生する凝縮水を貯留、蒸発させる蒸発皿３０１とを備え、断熱箱体１０１は、庫内底面部が手前側の第一底部３２１と、奥側の第二底部３２２とからなり、第一底部３２１は第二底部３２２より一段低く下がって構成され、第二底部３２２の下方に位置する庫外に蒸発皿３０１が配置される。これにより、冷蔵庫の開口部を最大限に高さ方向で利用可能となり、野菜室１０３手前に背の高い飲料品を収納する空間を確保しつつ、奥部の収納空間と蒸発皿とを効率的に配置することで、無駄のない空間配分が可能となる。
【選択図】図５【図１】
0004270326.tif 000002
【図２】
0004270326.tif 000003
【図３】
0004270326.tif 000004
【図４】
0004270326.tif 000005
【図５】
0004270326.tif 000006
【図６】
0004270326.tif 000007
【図７】
0004270326.tif 000008
【図８】
0004270326.tif 000009
【図９】
0004270326.tif 000010
【図１０】
0004270326.tif 000011
【図１１】
0004270326.tif 000012
【図１２】
0004270326.tif 000013
【図１３】
0004270326.tif 000014
【図１４】
0004270326.tif 000015
【図１５】
0004270326.tif 000016
【図１６】
0004270326.tif 000017
【図１７】
0004270326.tif 000018